(57)【要約】【課題】  テンプレート内の所定のフィールド内にオーバーレイされる文字等が印刷される特に強調したいページの印刷用紙として、当該文字等に応じた香りペーパーを用いるようにページ毎に切り替えること。【解決手段】  帳票フォームデータ内のフィールド領域に香り属性情報を設定し、該フィールド領域にデータを書き込み、当該書き込まれたデータが印刷されるページを特定し、該フィールド領域に香り属性情報が設定されているか否かを判定する。該フィールド領域に香り属性情報が設定されている場合に、当該フィールド領域に書き込まれたデータに従って、該データを含むページが印刷される香り付き用紙の種類を決定して、該ページに、当該決定された種類の香り付き用紙を用いて印刷を行う設定情報を設定して、該ページを含む印刷データを印刷するべく出力することを特徴とする。【選択図】図３
2013131182.tif 000002
【特許請求の範囲】
【請求項１】
帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段と、
前記帳票フォームデータ内のフィールド領域に、当該書き込まれるデータの属性情報として、前記香り付き用紙を用いて印刷することを示す香り属性情報を設定する属性設定手段と、
前記属性設定手段で前記属性情報が設定されたフィールド領域に、前記データを書き込む書込み手段と、
前記書込み手段で、当該フィールド領域に書き込まれたデータが印刷されるページを特定する特定手段と、
前記属性設定手段で、当該フィールド領域に香り属性情報が設定されているか否かを判定する判定手段と、
前記判定手段により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定手段と、
当該フィールド領域に書き込まれたデータのページに対して、前記決定手段により決定された種類の香り付き用紙を用いて印刷を行うための設定情報を設定する設定手段と、
前記設定手段により設定情報が設定されたページを含む印刷データを印刷するべく出力する出力手段と、
を備えることを特徴とする情報処理装置。
【請求項２】
前記決定手段は、前記判定手段により、当該フィールド領域に香り属性情報が設定されていないと判定された場合は、当該フィールド領域に書き込まれたデータのページが印刷される印刷用紙として、香りが付いていない用紙を用いることを決定し、
当該フィールド領域に書き込まれたデータのページに対して、前記設定手段による設定処理を行わないように制御する制御手段を更に備えることを特徴とする請求項１に記載の情報処理装置。
【請求項３】
帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段を備えた情報処理装置の制御方法であって、
前記情報処理装置の属性設定手段が、前記帳票フォームデータ内のフィールド領域に、当該書き込まれるデータの属性情報として、前記香り付き用紙を用いて印刷することを示す香り属性情報を設定する属性設定工程と、
前記情報処理装置の書込み手段が、前記属性設定工程で前記属性情報が設定されたフィールド領域に、前記データを書き込む書込み工程と、
前記情報処理装置の特定手段が、前記書込み工程で、当該フィールド領域に書き込まれたデータが印刷されるページを特定する特定工程と、
前記情報処理装置の判定手段が、前記属性設定工程で、当該フィールド領域に香り属性情報が設定されているか否かを判定する判定工程と、
前記情報処理装置の決定手段が、前記判定工程により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定工程と、
前記情報処理装置の設定手段が、当該フィールド領域に書き込まれたデータのページに対して、前記決定工程により決定された種類の香り付き用紙を用いて印刷を行うための設定情報を設定する設定工程と、
前記情報処理装置の出力手段が、前記設定工程により設定情報が設定されたページを含む印刷データを印刷するべく出力する出力工程と、
を備えることを特徴とする制御方法。
【請求項４】
帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段を備えた情報処理装置で読み取り実行可能なプログラムであって、
前記情報処理装置を、
前記帳票フォームデータ内のフィールド領域に、当該書き込まれるデータの属性情報として、前記香り付き用紙を用いて印刷することを示す香り属性情報を設定する属性設定手段と、
前記属性設定手段で前記属性情報が設定されたフィールド領域に、前記データを書き込む書込み手段と、
前記書込み手段で、当該フィールド領域に書き込まれたデータが印刷されるページを特定する特定手段と、
前記属性設定手段で、当該フィールド領域に香り属性情報が設定されているか否かを判定する判定手段と、
前記判定手段により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定手段と、
当該フィールド領域に書き込まれたデータのページに対して、前記決定手段により決定された種類の香り付き用紙を用いて印刷を行うための設定情報を設定する設定手段と、
前記設定手段により設定情報が設定されたページを含む印刷データを印刷するべく出力する出力手段として機能させることを特徴とするプログラム。
【発明の詳細な説明】
【技術分野】
【０００１】
本発明は、情報処理装置、及びその制御方法、プログラムに関し、特に、所定のフィールド内の文字等が印刷されるページを、当該文字等に応じた香りペーパーを用いるように切り替える技術に関するものである。
【背景技術】
【０００２】
従来、特許文献１に記載された印刷用紙パックにより、印刷用紙に所望の香りを付け、プリンタが、当該香りの付いた印刷用紙に印刷することで、印刷時の臭気を防止すると共に、所望の香りを楽しむことができることが開示されている。
【０００３】
また、従来、一定の書式（帳票フォームのテンプレート）に変数（文字や数値等のテンプレートに固定されていないデータ）等のデータをオーバーレイして帳票などを作成している。
【０００４】
このテンプレートのデータ（テンプレートデータ）は、具体的には、一定の書式である帳票フォームのデータ（フォームデータ）であり、そのフォームの一部の領域（フィールド）に、変数等のデータを出力する出力領域や、ユーザからの文字等の入力（記載）が可能な印字領域等が設定されたデータである。
このテンプレートデータの各フィールドに、該変数などを重ね合わせて（オーバーレイして）、目的の帳票などを出力している。
【先行技術文献】
【特許文献】
【０００５】
【特許文献１】特開２０１０−２０２２８３号公報
【発明の概要】
【発明が解決しようとする課題】
【０００６】
帳票フォームのテンプレート内の所定のフィールド内にオーバーレイされた文字等が印刷された印刷物を読むユーザに、その文字等についての強い印象を与えるために、当該所定のフィールド内にオーバーレイされる文字等が印刷されるページの用紙に、特許文献１に開示されている香りペーパーを用いることが考えられる。
【０００７】
しかしながら、テンプレートデータに、文字などのデータ（変数）を流し込み（オーバーレイして）、帳票を作成する場合、流し込まれるデータの量に応じて、帳票のページ数が多くなったり、流し込まれるテンプレート内のフィールドが次のページに移ってしまったりする。また、ページがブレイクした場合も、同様に、流し込まれるテンプレート内のフィールドが次のページに移ってしまう。
【０００８】
そのため、従来、テンプレート内の所定のフィールド内にオーバーレイされる文字等が印刷されるページの用紙に、特許文献１に開示されている香りペーパーを用いることが出来なかった。
【０００９】
さらに、従来、テンプレート内の所定のフィールド内の文字に応じて、該文字が印刷されるページの用紙に、どの種類の香りペーパーを用いるかを動的に切り替えることは開示されていない。
【００１０】
そこで、本発明の目的は、テンプレート内の所定のフィールド内にオーバーレイされる文字等が印刷される特に強調したいページの印刷用紙として、当該文字等に応じた香りペーパーを用いるようにページ毎に切り替えるための仕組みを提供することである。
【課題を解決するための手段】
【００１１】
本発明は、帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段と、前記帳票フォームデータ内のフィールド領域に、当該書き込まれるデータの属性情報として、前記香り付き用紙を用いて印刷することを示す香り属性情報を設定する属性設定手段と、前記属性設定手段で前記属性情報が設定されたフィールド領域に、前記データを書き込む書込み手段と、前記書込み手段で、当該フィールド領域に書き込まれたデータが印刷されるページを特定する特定手段と、前記属性設定手段で、当該フィールド領域に香り属性情報が設定されているか否かを判定する判定手段と、前記判定手段により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定手段と、当該フィールド領域に書き込まれたデータのページに対して、前記決定手段により決定された種類の香り付き用紙を用いて印刷を行うための設定情報を設定する設定手段と、前記設定手段により設定情報が設定されたページを含む印刷データを印刷するべく出力する出力手段と、を備えることを特徴とする。
【００１２】
また、本発明は、帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段を備えた情報処理装置の制御方法であって、前記情報処理装置の属性設定手段が、前記帳票フォームデータ内のフィールド領域に、当該書き込まれるデータの属性情報として、前記香り付き用紙を用いて印刷することを示す香り属性情報を設定する属性設定工程と、前記情報処理装置の書込み手段が、前記属性設定工程で前記属性情報が設定されたフィールド領域に、前記データを書き込む書込み工程と、前記情報処理装置の特定手段が、前記書込み工程で、当該フィールド領域に書き込まれたデータが印刷されるページを特定する特定工程と、前記情報処理装置の判定手段が、前記属性設定工程で、当該フィールド領域に香り属性情報が設定されているか否かを判定する判定工程と、前記情報処理装置の決定手段が、前記判定工程により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定工程と、前記情報処理装置の設定手段が、当該フィールド領域に書き込まれたデータのページに対して、前記決定工程により決定された種類の香り付き用紙を用いて印刷を行うための設定情報を設定する設定工程と、前記情報処理装置の出力手段が、前記設定工程により設定情報が設定されたページを含む印刷データを印刷するべく出力する出力工程と、を備えることを特徴とする。
【００１３】
また、本発明は、帳票フォームデータ内のフィールド領域に書き込まれるデータと、当該データが印刷されるページの印刷用紙として用いられる香り付き用紙の種類を示す情報とが関連付けられた香り付き用紙決定情報を記憶する記憶手段を備えた情報処理装置で読み取り実行可能なプログラムであって、前記情報処理装置を、前記帳票フォームデータ内のフィールド領域に、当該書き込まれるデータの属性情報として、前記香り付き用紙を用いて印刷することを示す香り属性情報を設定する属性設定手段と、前記属性設定手段で前記属性情報が設定されたフィールド領域に、前記データを書き込む書込み手段と、前記書込み手段で、当該フィールド領域に書き込まれたデータが印刷されるページを特定する特定手段と、前記属性設定手段で、当該フィールド領域に香り属性情報が設定されているか否かを判定する判定手段と、前記判定手段により、当該フィールド領域に香り属性情報が設定されていると判定された場合に、当該フィールド領域に前記書込み手段により書き込まれたデータと、前記記憶手段に記憶された香り付き用紙決定情報とに従って、当該フィールド領域に書き込まれたデータのページが印刷される香り付き用紙の種類を決定する決定手段と、当該フィールド領域に書き込まれたデータのページに対して、前記決定手段により決定された種類の香り付き用紙を用いて印刷を行うための設定情報を設定する設定手段と、前記設定手段により設定情報が設定されたページを含む印刷データを印刷するべく出力する出力手段として機能させることを特徴とする。
【発明の効果】
【００１４】
本発明によれば、テンプレート内の所定のフィールド内にオーバーレイされる文字等が印刷される特に強調したいページの印刷用紙として、当該文字等に応じた香りペーパーを用いるようにページ毎に切り替えることができる。
【図面の簡単な説明】
【００１５】
【図１】本発明の実施形態に係る情報処理システムの構成図である。
【図２】図１に示したＰＣ１００、１０１に適用可能な情報処理装置のハードウェア構成を示すブロック図である。
【図３】帳票データの一例を示す図である。
【図４】設定画面の一例を示す図である。
【図５】属性テーブルの一例を示す図である。
【図６】データファイルの一例を示す図である。
【図７】ＰＣ１００における制御処理を行うフローチャートの一例を示す図である。
【図８】プリンタ１０２における制御処理を行うフローチャートの一例を示す図である。
【図９】帳票フォームの一例を示す図である。
【発明を実施するための形態】
【００１６】
以下、図面を参照して、本発明の実施形態に係る情報処理装置、及びその動作処理の詳細について説明する。
【００１７】
図１は、本発明の実施形態に係る情報処理システムの構成図である。
図１に示すように、ＰＣ１００と、ＰＣ１０１と、プリンタ１０２とは、それぞれネットワークを介して相互に通信可能に接続されている。
ＰＣ１００と、ＰＣ１０１は、情報処理装置である。また、プリンタ１０２は、印刷機能を備えた画像処理装置である。
以下、図２を用いて、図１に示したＰＣ１００、１０１に適用可能な情報処理装置のハードウェア構成について説明する。
【００１８】
図２は、図１に示したＰＣ１００、１０１に適用可能な情報処理装置のハードウェア構成を示すブロック図である。
【００１９】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２０】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２１】
また、２０５は入力コントローラで、キーボード（ＫＢ）２０９や不図示のマウス等のポインティングデバイス等の入力装置からの入力を制御する。２０６はビデオコントローラで、液晶ディスプレイ等のディスプレイ２１０への表示を制御する。なお、２１０のディスプレイは、タッチパネルになっており、ディスプレイ上の画面を押下されることにより操作することが可能な入力装置としても機能する。
【００２２】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２３】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００２４】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２５】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
まず、ＰＣ１００は、ディスプレイ２１０に図９に示す、一定の書式である帳票フォームのデータ（フォームデータ）を表示する。
図９は、帳票フォーム（帳票フォームデータ）の一例を示す図である。
【００２６】
後で具体的に説明するが、この図９の９０１から９３５の各フィールド（フィールドのことをフィールド領域ともいう）に、文字や数字などが入力されることで、図３に示す帳票データを生成する。
図３は、帳票データの一例を示す図である。
【００２７】
次に、ＰＣ１００は、図９の帳票フォームを表示すると、ユーザによる操作によりフィールドが選択され、図４に示す設定画面を表示する。そして、選択されたフィールドについて、文字フィールドであるか、数字フィールドであるか、香りフィールドであるか等の設定を行う。
図４は、設定画面の一例を示す図である。
【００２８】
図４に示すプルダウンには、フィールド属性として、「文字フィールド」、「数字フィールド」、「香りフィールド」のいずれかが表示される。そして、ユーザによる操作に従って、「文字フィールド」、「数字フィールド」、「香りフィールド」のいずれかを選択して、「ＯＫ」ボタンが押下されると、選択されたフィールドに、図４の設定画面から選択されたフィールド属性が設定される。
【００２９】
「文字フィールド」が設定されたフィールドには、文字が入力され、「数字フィールド」が設定されたフィールドには、数字が入力され、「香りフィールド」が設定されたフィールドには、文字又は数字が入力されるように設定される。
そして、ここで設定されたフィールド属性は、図５に示す属性テーブルに記憶される。
図５は、属性テーブルの一例を示す図である。
【００３０】
図５には、図９の９０４のフィールド（オブジェクト番号１）には、香りフィールドの属性が設定され、図９の９０５のフィールド（オブジェクト番号２）には、文字フィールドの属性が設定され、図９の９０８のフィールド（オブジェクト番号３）には、数字フィールドの属性が設定されていることを示している。
以上のようにして、ＰＣ１００は、帳票フォームの各フィールドに、フィールド属性が設定され、設定された情報が記憶されている。
【００３１】
すなわち、以上のようにして、帳票フォームデータ内のフィールド領域に、書き込まれるデータの属性情報として、香り付き用紙を用いて印刷することを示す香り属性情報を設定する（属性設定手段）。
次に、図７を用いて、本実施形態のＰＣ１００における制御処理を行うフローチャートについて説明する。
図７は、ＰＣ１００における制御処理を行うフローチャートの一例を示す図である。
図７に示す各ステップに示す処理は、ＰＣ１００のＣＰＵ２０１により実行され実現される。
まず、ステップＳ７０１において、ＰＣ１００は、図６に示すデータファイルを読込む。
図６は、データファイルの一例を示す図である。
【００３２】
図６に示すデータファイルは、図９に示すフォームの各フィールドにオーバーレイするデータが記憶されているファイルである。ここで、図６に示すように、６０１には、香りフィールドのフィールド属性が設定されたフィールド（９０４）に「ひのき」という文字が流し込まれることを示している。
次に、ステップＳ７０２において、帳票フォームの９０４のフィールドから順番に（帳票フォームの上から順番に）選択する。
【００３３】
そして、ステップＳ７０３において、ステップＳ７０２で選択されたフィールドに、該フィールドに流し込むデータ（オーバーレイするデータ）を、読み出したデータファイル（図６）から取得して、該フィードに流し込む。
【００３４】
すなわち、属性情報（「文字フィールド」、「数字フィールド」、「香りフィールド」）が設定されたフィールド領域に、データを書き込む（オーバーレイする）（書込み手段）。
【００３５】
ステップＳ７０４において、ステップＳ７０２で選択されたフィールドについて、属性テーブル（図５）で設定されているフィールド属性が、「香りフィールド」であるか否かを判定する。
すなわち、香り属性情報が設定されているか否かを判定する（判定手段）。
ステップＳ７０４で「香りフィールド」ではないと判定された場合は、次のフィールドを処理対象にして、ステップＳ７０２の処理に戻る。
【００３６】
すなわち、ステップＳ７０４で香り属性情報（「香りフィールド」）が設定されていないと判定された場合は、ステップＳ７０２で選択されたフィールドに書き込まれたデータのページが印刷される印刷用紙として、香りが付いていない用紙を用いることを決定する。
【００３７】
そのため、ステップＳ７０３でフィールドに書き込まれたデータのページに対して、ステップＳ７０６による設定処理を行わないように制御している（制御手段）。
【００３８】
一方、ステップＳ７０４で「香りフィールド」であると判定された場合は、香りフィールドに流し込まれた（オーバーレイされた）データが印刷されるページを特定する（ステップＳ７０５）。
【００３９】
そして、香りフィールドに流し込まれた（オーバーレイされた）データ（文字データ、又は数字データ）を解析して、該データに対応する香りペーパーの種類を特定する。具体的には、フィールド領域に書き込まれるデータ（文字データ又は数字データを含むデータ）と、香りペーパーの種類（当該データが印刷されるページの印刷用紙として用いられる香り付き用紙の種類を示す情報）とを対応付けて（関連付けて）記憶した対応テーブル（香り付き用紙決定情報）を外部メモリ（記憶手段）に記憶しておき、ここで、香りフィールドに流し込まれた（オーバーレイされた）データに対応して対応テーブルに記憶された香りペーパーの種類を特定する。
【００４０】
例えば、香りフィールドに流し込まれた（オーバーレイされた）データが、「ひのき」という文字であり、対応テーブルに「ひのき」に対応して「ヒノキの香り付用紙」が記憶されている場合、「ひのき」という文字に対応する「ヒノキの香り付用紙」が香りペーパーの種類として特定される。
そして、特定された香りペーパーの種類を示す情報（種類情報）を、ステップＳ７０５で特定されたページに設定する（ステップＳ７０６）（設定手段）。
【００４１】
すなわち、ステップＳ７０６において、フィールドに香り属性情報が設定されていると判定された場合に、フィールド書き込まれたデータと、香り付き用紙決定情報とに従って、フィールドに書き込まれたデータのページが印刷される香り付き用紙の種類を決定している（決定手段）。
ここで、種類情報は、ステップＳ７０５で特定されたページに対して、決定された種類の香り付き用紙を用いて印刷を行うための設定情報である。
【００４２】
次に、ステップＳ７０７において、次のフィールドがあるか否かを判定し、次のフィールドがあると判定された場合は（ＹＥＳ）、次のフィールドを処理対象にして、ステップＳ７０２の処理に戻す。また、次のフィールドが無いと判定された場合は（ステップＳ７０７：ＮＯ）、帳票フォームの全てのフィールドにデータがオーバーレイされたと判定して、当該オーバーレイされた帳票データの印刷データを生成して、プリンタ１０２に送信することにより、印刷指示を行う（ステップＳ７０８）。すなわち、設定情報が設定されたページを含む印刷データを印刷するべくプリンタ１０２に出力する（出力手段）。
次に、図８を用いて、本実施形態のプリンタ１０２における制御処理を行うフローチャートについて説明する。
図８は、プリンタ１０２における制御処理を行うフローチャートの一例を示す図である。
図８に示す各ステップに示す処理は、プリンタ１０２のＣＰＵにより実行され実現される。
【００４３】
まず、ステップＳ８０１において、プリンタ１０２は、ＰＣ１００から受信した印刷データを解析して、１ページ目から、ページ毎に、設定された種類情報が設定されていないか、「ひのき（種類情報）」が設定されているか、「さくら（種類情報）」が設定されているかを判定する。
【００４４】
そして、ステップＳ８０１で、種類情報が設定されていないと判定された場合は（なし「通常」）、トレイ１に設置されている香り無し用紙（香りが付いていない通常の用紙）で印刷することを決定し（ステップＳ８０２）、当該決定された用紙にプリント出力する（ステップＳ８０５）。
【００４５】
また、ステップＳ８０１で、ページに、「ひのき（種類情報）」が設定されていると判定された場合は（ひのき）、トレイ２に設置されているヒノキの香り付用紙（ヒノキの香りが付いている用紙）で印刷することを決定し（ステップＳ８０３）、「さくら（種類情報）」が設定されていると判定された場合は（さくら）、トレイ３に設置されているさくらの香り付用紙（さくらの香りが付いている用紙）で印刷することを決定する（ステップＳ８０４）。
【００４６】
そして、ステップＳ８０３で、ヒノキの香り付用紙（ヒノキの香りが付いている用紙）で印刷することを決定された場合は、ステップＳ８０５に移行して、当該決定された用紙にプリント出力する。また、ステップＳ８０４で、トレイ３に設置されているさくらの香り付用紙（さくらの香りが付いている用紙）で印刷する決定された場合は、ステップＳ８０５に移行して、当該決定された用紙にプリント出力する。
【００４７】
ステップＳ８０５で印刷を行うと、ステップＳ８０６で、次のページはあるかを判定し、次のページがまだある場合は（ＹＥＳ）、次のページを処理対象にして、処理をステップＳ８０１に移す。また、次のページがない場合は（ＮＯ）、処理を終了する。
【００４８】
図８の処理を行うことで、図３に示す帳票を印刷出力する。ここで、図９の９０４のフィールド内に流し込まれた文字（香りフィールドのフィールド属性が設定されたフィールドに流し込まれた文字）は、印刷されない。
【００４９】
すなわち、香りフィールドのフィールド属性の設定は、香りフィールドのフィールド属性が設定されたフィールドに流し込まれた文字を印刷しないように制御するための設定がなされていることを示している。
【００５０】
以上、本発明によれば、テンプレート内の所定のフィールド内にオーバーレイされる文字等が印刷される特に強調したいページの印刷用紙として、当該文字等に応じた香りペーパーを用いるようにページ毎に切り替えることが出来る。
【００５１】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５２】
この場合、記憶媒体から読み出されたプログラムコード自体が前述した実施形態の機能を実現することになり、プログラムコード自体及びそのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００５４】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００５５】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００５６】
ＰＣ（情報処理装置）  １００
ＰＣ（情報処理装置）  １０１
プリンタ（画像形成装置）  １０２
【図１】
2013131182.tif 000003
【図２】
2013131182.tif 000004
【図３】
2013131182.tif 000005
【図４】
2013131182.tif 000006
【図５】
2013131182.tif 000007
【図６】
2013131182.tif 000008
【図７】
2013131182.tif 000009
【図８】
2013131182.tif 000010
【図９】
2013131182.tif 000011